(57)【特許請求の範囲】
【請求項１】
導線で形成される二次コイル（３６）と、リング形状の誘電支持体（４０）と、該支持体（４０）上に取り付けた可飽和磁気コア（３８）と、該支持体および可飽和コアに巻き付けた導線で形成される励磁コイル（４４）と、該励磁コイル、リング形状の支持体、および可飽和コアの周囲に取り付けた磁気シェル（３２）とを含むリング形状のフラックスゲート検知ユニット（６）を備えるトロイダルフラックスゲート電流変換器であって、前記支持体は、前記支持体に固定した端子（５０、４８）を備え、前記端子の第１の対が前記電流変換器の前記励磁コイルの端部に接続され、前記端子の第２の対が前記電流変換器の前記二次コイル（３６）の端部に接続されることを特徴とするトロイダルフラックスゲート電流変換器。
【請求項２】
前記検知ユニットの前記端子に接続した回路基板（８）をさらに備える請求項１記載の変換器。
【請求項３】
前記検知ユニット（６）が、前記励磁コイルおよび可飽和コアの周囲に取り付けられて、前記二次コイルが巻き付けられる支持体を形成する、誘電筐体シェル（３４ａ、３４ｂ）をさらに含むことを特徴とする請求項１または２記載の変換器。
【請求項４】
前記誘電筐体シェルが、複数の離間された半径方向フィン（５９）を備えることを特徴とする請求項３記載の変換器。
【請求項５】
前記誘電筐体シェルが、前記変換器の回路基板（８）の相補型開口部に係合する突出部（６０）を備える請求項３または４記載の変換器。
【請求項６】
前記検知ユニットの前記リング形状の誘電支持体が、前記誘電支持体および励磁導体の周囲に取り付けた磁気シェルに対して前記支持体を位置決めするように構成した位置決め面を提供する、複数の離間された半径方向フィン（４６）を備える請求項１〜５のいずれかに記載の変換器。
【請求項７】
筐体（４）と、中央通路（１６）と、独立部品として設けられる一次導体ユニット（１９）を備え、該一次導体ユニットが、誘電体（２２）と、該誘電体（２２）内にまとめて保持され、測定対象の電流を伝導するように構成された１つ以上の導体（２０）とを備え、前記誘電体（２２）が、前記筐体の前記中央通路（１６）を通して独立して取り付けることができ、かつ前記誘電体および筐体に設けた相補型固定部材によって前記筐体に固定することができる略Ｕ字またはＶ字形の部品を形成する請求項１〜６のいずれかに記載の変換器。
【請求項８】
前記誘電体（２２）が、前記一次導体（２０）を覆う成形塑性体である請求項７記載の変換器。
【請求項９】
前記一次導体ユニット（１９）の両端において、前記一次導体（２０）の複数の接続端（２４）が平行で、前記変換器の取付面（１７）よりも突出している請求項７または８記載の変換器。
【請求項１０】
前記誘電体（２２）が、一体的に成形された弾性クリップアーム（２６）を備え、該弾性クリップアームが、前記変換器筐体（４）の相補型クリップと相互に係合して前記一次導体ユニットを前記変換器筐体に装着固定する請求項７〜９のいずれかに記載の変換器。
【請求項１１】
前記誘電体（２２）が、前記変換器筐体（４）に当接して前記筐体に対して前記一次導体ユニットを位置決めする、位置決め肩部またはフランジ（２７）を備える請求項７〜１０のいずれかに記載の変換器。
【請求項１２】
前記一次導体ユニット（１９）が、少なくとも第１および第２の導体対、すなわち、電流を一方向に伝導する第１の対（２０ａ）および電流を反対方向に伝導する第２の対（２０ｂ）をなす少なくとも４つの一次導体を備え、該導体対が、一方の対の導体が他方の対の導体の間に挟まれる位置に来るように配置される請求項７〜１１のいずれかに記載の変換器。
【請求項１３】
前記フラックスゲート検知ユニット（６）の半径方向内側に配置される内側磁気シールド（１２）および／または前記フラックスゲート検知ユニット（６）の半径方向外側に配置される外側磁気シールド（１０）をさらに備える請求項１〜１２のいずれかに記載の変換器。
【請求項１４】
前記磁気シールドが、高い透磁率を有する細片または帯状材をリング状に折り曲げて形成される請求項１３に記載の変換器。
【発明の詳細な説明】
【技術分野】
【０００１】
本発明は、二次コイルを備えたクローズドループ用トロイダルフラックスゲート電流変換器に関する。
【背景技術】
【０００２】
フラックスゲート変換器は、励磁コイルが巻かれた可飽和磁気コアを有し、この励磁コイルは、磁気コアを交互に飽和させる交番磁界を加える。外部磁界の存在下では、可飽和コアの飽和状態にバイアスがかかり、励磁信号の対称性に影響を及ぼす。この非対称性は外部磁界の振幅と相関しているため、外部磁界の振幅の読み取りに用いることができる。磁力計では、フラックスゲート変換器に巻かれた二次コイル（補償コイルとも呼ぶ）またはフラックスゲート変換器に連結した磁気回路に対してフィードバック信号を発生させる電子回路によって、励磁電流が処理される。補償電流は外部磁界の影響を打ち消そうとするため、二次（または補償）電流は、この磁界の大きさを表す。電流変換器では、磁界は一次導体内を流れる一次電流（測定対象の電流）によって生じる。通常一次導体は、磁場変換器が形成する、または磁場変換器に連結した磁気回路を通して配置される。
【０００３】
ある既知のフラックスゲート変換器は、一次導体が通る中央開口を取り巻く環状形状を有する。フラックスゲート変換器は高感度を有するため、微弱な電流または小振幅の差動電流の測定によく適しているが、ホール効果磁界検出器に基づくオープンループ電流変換器またはクローズドループ電流変換器に比べて製造および実施に比較的高いコストがかかる。フラックスゲート原理に基づく電流変換器のコストへの影響因子は、励磁コイルおよび二次コイルの設置、可飽和コアの設置、ならびに電子回路へのこれらコイルの相互接続である。
【０００４】
また、フラックスゲート変換器の感度がコイルおよび各種構成要素の相対位置に求められる製造公差をさらに厳しくしており、製造コストの増加につながっている。
【発明の概要】
【発明が解決しようとする課題】
【０００５】
本発明の目的は、トロイダルフラックスゲート磁界検出器に基づく、正確で、信頼性が高く、かつ製造コストが低いクローズドループ電流変換器を提供することである。
【０００６】
大量生産にコストがかからないクローズドループトロイダルフラックスゲート電流変換器を提供することは有利である。
【０００７】
小型のクローズドループトロイダルフラックスゲート電流変換器を提供することは有利である。
【０００８】
堅牢なクローズドループトロイダルフラックスゲート電流変換器を提供することは有利である。
【０００９】
本発明の目的は、請求項１に係るクローズドループトロイダルフラックスゲート電流変換器を提供することによって達成されている。
【課題を解決するための手段】
【００１０】
本明細書は、誘電または絶縁支持体と、支持体上に取り付けた可飽和磁気コアと、支持体および可飽和コアに巻きつけた励磁コイルと、励磁コイルの周囲に取り付けた磁気シェルとを含むリング形状のフラックスゲート検知ユニットを備える、トロイダルフラックスゲート電流変換器を開示する。支持体はリング形状であり、支持体に固定した端子を備え、これら端子の第１の対が励磁コイルの端部に接続され、これら端子の第２の対が、電流変換器の二次コイルの端部に接続される。有利には、可飽和コアの支持体において接続端子が二次コイルおよび励磁コイルの双方に対して一体化することによって、アセンブリの製造および検知ユニットと信号処理回路の相互接続が簡潔になる。この構成により、より小型で、信頼性が高く、かつ堅牢な装置が得られる。
【００１１】
本明細書で用いる「トロイダル」および「リング」という用語は、円形に限定されず、１つ以上の一次導体を通す開口を取り巻く正方形、長方形、多角形、楕円形、または規則的もしくは不規則的な閉鎖形状もしくは略閉鎖形状を含む。
【００１２】
信号処理回路は、検知ユニットの端子に接続した回路基板を備えてもよい。
【００１３】
検知ユニットは、励磁コイルおよび可飽和コアの周囲に取り付けられて、二次コイルが巻かれる支持体を形成する、誘電筐体シェルをさらに備えてもよい。有利には、この誘電シェルは、コイルを横方向に支持しかつ変換器の筐体内で検知ユニットを位置決めする役割を果たす、複数の離間された内向きの半径方向フィンを備えてもよい。有利には、誘電シェルは、変換器の回路基板の相補型開口部に係合する突出部を備えて、回路基板を検知ユニットおよび変換器の筐体に対して位置決めしてもよい。
【００１４】
また、可飽和コアおよび励磁コイル用のリング形状の誘電または絶縁支持体は、誘電支持体および励磁導体の周囲に取り付けた磁気シェルに対して支持体を位置決めするように構成した位置決め面を提供する、複数の離間された半径方向フィンを備えてもよい。
【００１５】
有利には、変換器は、たとえば高い透磁率を有する細片または帯状材をリング状に折り曲げて形成した環状内側磁気シールドをフラックスゲート検知ユニットの半径方向内側におよび／または環状外側磁気シールドをフラックスゲート検知ユニットの半径方向外側に備えてもよい。内側磁気シールドは、中央通路内の一次導体の位置の片寄りによる影響を低減する役割を果たし、外側磁気シールドは、外部磁界からの干渉を低減する役割を果たす。
【００１７】
本発明の別の局面において、変換器は独立部品として設けられる一次導体ユニットを備え、一次導体ユニットは、誘電体と、誘電体内にまとめて保持され、測定対象の電流を伝導するように構成された複数の導体とを備え、上記誘電体は、筐体の中央通路を通して独立して取り付けることができ、かつ筐体に固定することができる略Ｕ字またはＶ字形の部品を形成するものである。誘電体は、一次導体を覆う成形塑性体とし、一体的に成形された弾性クリップアームを備えてもよく、弾性クリップアームは、変換器筐体の相補型クリップと相互に係合して一次導体ユニットを変換器筐体に装着固定する。誘電体は、変換器筐体に当接して筐体に対して一次導体ユニットを位置決めする、位置決め肩部またはフランジをさらに備えてもよい。
【００１８】
一実施形態において、一次導体ユニットは、少なくとも第１および第２の導体対、すなわち、電流を一方向に伝導する第１の対および電流を反対方向に伝導する第２の対をなす少なくとも４つの一次導体を備えてもよく、該導体対は、一方の対の導体が他方の対の導体の間に挟まれる位置に来るように配置される。この構成では、変換器は、電流の流れが相反する２つの導体間または導体対間の電流差を測定する差動変換器として機能してもよい。
【００１９】
一実施形態において、一次導体ユニットは、三相系の三相電流およびニュートラルまたは当該変換器が使用される系の自動試験機能用の試験電流を伝導するために用いる少なくとも４つの一次導体を備えてもよい。この構成では、変換器は、通常動作時はゼロに近いはずである三相系の電流の合計を測定する差動（または可算）電流変換器として機能してもよい。
【００２０】
一次導体は、押出成形した導線または金属薄板を型打ち成形したものを、一次導体ユニットの誘電体でオーバーモールドするか、誘電体に挿入した形態としてもよい。または、一次導体は基板（たとえばプリント回路基板）に蒸着させた導電性トラックとして形成してもよい。
【００２１】
本発明のさらなる目的および有利な特徴は、請求項および添付図面に基づく以下の本発明の実施形態の詳細な説明から明らかになるであろう。
【図面の簡単な説明】
【００２２】
【図１ａ】図１ａは、本発明の一実施形態に係るトロイダルフラックスゲート電流変換器の部分断面図を含む斜視図である。
【図１ｂ】図１ｂは、図１ａの実施形態の分解斜視図である。
【図１ｃ】図１ｃは、筐体内の構成要素を見やすくするために筐体を透明にした、図１ａに係る実施形態の斜視図である。
【図１ｄ】図１ｄは、筐体内の構成要素を見やすくするために筐体を透明にした、図１ａに係る実施形態の斜視図である。
【図２ａ】図２ａは、変換器筐体に予め組み付けた一次導体を備える、本発明の一実施形態に係るフラックスゲート電流変換器の斜視図である。
【図２ｂ】図２ｂは、変換器筐体に組み付けられている一次導体部材を示す、図２ａの実施形態の斜視図である。
【図２ｃ】図２ｃは、変換器筐体に組み付けられている一次導体部材を示す、図２ａの実施形態の斜視図である。
【図２ｄ】図２ｄは、図２ａの実施形態の断面図である。
【図３】図３は、トロイダルフラックスゲート検知ユニットの分解斜視図である。
【図４ａ】図４ａは、本発明の一実施形態に係る可飽和コアおよび励磁コイルユニットの部分断面図を含む斜視図である。
【図４ｂ】図４ｂは、図４ａのユニットの分解図である。
【発明を実施するための形態】
【００２３】
まず図１ａ〜１ｄから図面を参照すると、本発明の一実施形態に係る電流変換器２は、筐体４と、筐体内に取り付けたトロイダルフラックスゲート検知ユニット６と、同様に筐体内に取り付けられ、たとえばプリント回路基板７を備え、かつ筐体を通して延在し、電源供給および測定信号出力用の外部回路への接続に用いる電気端子１８を有する信号処理回路８とを備える。変換器は、測定対象の電流を伝導する１つの導体または複数の導体２０、２０ａ、２０ｂが貫通して延在する中央通路１６を備えてもよい。上記測定対象の電流を一次電流と称し、上記導体を一次導体と称する。変換器は、フラックスゲート検知ユニット６の半径方向内側に配置される内側磁気シールド１２と、フラックスゲート検知ユニット６の半径方向外側に配置される外側磁気シールド１０をさらに備えてもよい。有利には、磁気シールド１０、１２は、シリコン鋼、パーマロイ、スーパーマロイ、アモルファスまたはナノ結晶合金などの高い透磁率を有する材料の細片または帯状材を折り曲げて作製してもよい。シールドは、押出または鋳造材の円筒形状部で作製してもよいし、シート材を型打ち成形するなどの、別の方法で形成した非円筒形状を有してもよい。外側シールド１０は、外部磁界の影響を低減する役割を果たし、特に、電流変換器の周囲または付近に位置する電気導体、電気モータ、およびその他の磁界発生装置による外乱などの、中央通路１６の外で発生する磁界の影響を低減する役割を果たす。内側シールド１２は、通路１６を貫通して延在する一次導体の片寄りの影響を低減するために、中央通路１６を貫通して延在する一次導体の磁界を再配分する磁気回路を形成する役割を果たす。
【００２４】
トロイダルフラックスゲート検知ユニット６は、図に示すような閉鎖円形を有してもよいし、１つ以上の一次導体を通す開口を取り巻く正方形、長方形、多角形、楕円形、または規則的もしくは不規則的な形状などの別の閉鎖または略閉鎖形状を有してもよい。
【００２５】
有利には、本発明に係る変換器は、複数の一次導体を流れる電流の合計である、いわゆる差動電流の測定に使用してもよい。たとえば、回路内の漏電を測定するために用いてもよい。たとえば、中央通路１６を貫通する閉電気回路の一対の導体は、通常動作時は等振幅で反対方向の電流を有することになり、これらの対向電流によって発生した磁界は互いに打ち消し合う。回路に漏電がある場合、供給電流と戻り電流は振幅が異なるため、その差によって差動電流と相関するゼロでない磁界が生じる。半径方向内側シールド１２は、導体が発生させた磁気双極子場を捕えて磁気シールド内で回転させる磁気回路の機能を果たし、各導体の片寄りによる磁界検知ユニット６への影響を低減する。
【００２６】
回路基板８は、検知ユニット６の励磁コイルと、検知ユニットの二次（補償）コイルとに接続され、測定信号のフィルタリングまたは前処理を行う構成要素をさらに備えてもよい。回路基板は、変換器の取付面１７を通って突出する接続端子１８を介して、励磁コイルおよび二次コイルを外部回路に相互接続する。接続端子１８は、電源への接続に用いる端子と、測定信号を伝達するための端子とを含む。取付面１７には、取付ピン１４が圧力嵌めにより挿入される取付孔１５が設けられてもよい。この取付ピンは、型打ち成形した金属薄板を、端子１８も接続される外部回路基板の孔を通してはんだ付け、溶接または圧力嵌めによる挿入ができるように構成したものである。端子および取付ピン１４両方を接続することによって、変換器が外部装置に機械的に固定される。
【００２７】
ここで、図２ａ〜２ｃと共に図１ａ〜１ｄを参照すると、一変形例に係る変換器は、誘電体２２内にまとめて保持される複数の導体２０を備える一次導体ユニット１９さらに備えてもよい。この誘電体２２は、導線２０を覆う成形塑性体として変換器筐体４の中央通路１６を通して取り付けることができる略Ｕ字またはＶ字形の部品を形成するものである。一次導体ユニット１９の両端において、複数の一次導体２０の接続端２４は平行で、同じ方向に突出している。接続端２４は誘電体の取付面２５よりも突出しているが、取付面２５は変換器の取付面１７と同じ平面または実質的に同じ高さに配置され、接続端子１８、取付ピン１４、および一次導体接続端２４が外部の略平面回路に同時に取り付けることができるようになっている。
【００２８】
有利には、一次導体ユニット１９は、独立して製造し、変換器の用途に応じて任意で変換器筐体４に取り付けることができる独立部品として設けられる。略Ｕ字形またはＶ字形の一次導体ユニット１９は、一端側から変換器２の中央通路１６を通して挿入され、接続端２４が取付面１７よりも突出した状態で左右対称な位置に来るまで通路１６を通して送り込まれるように構成されている。有利には、誘電体２２は、変換器筐体４にある相補型クリップと相互係合して一次導体ユニットを変換器筐体に装着固定する、一体的に成形された弾性クリップアーム２６を備えてもよい。誘電体２２は、変換器筐体４に当接して筐体に対して一次導体ユニットを位置決めする位置決め肩部またはフランジ２７をさらに備えてもよい。有利には、一次導体ユニット１９は、少なくとも４つの導体２０を備えてもよい。この少なくとも４つの導体は、少なくとも第１および第２の導体対、すなわち、電流を一方向に伝導する第１の対２０ａと、電流を反対方向に伝導する第２の対２０ｂとをなすものである。導体対は、一方の対の導体が他方の対の導体の間に挟まれる位置に来るように配置される。この構成によって、磁界の分布と、特に等振幅で反対方向の電流による磁界の打ち消しとが向上し、一方の導体対と他方の導電対間の差動電流の捕捉向上につながる。
【００２９】
図１ａ〜１ｄに示すように、筐体４は、二部４ｂ、４ａに構成されてもよく、その一部４ａは、筐体部４ｂ上に留めたカバー部の機能を果たし、主筐体部４ｂ内には、検知ユニット６、半径方向のシールド１０、１２、および最後に回路基板８といった構成要素が軸方向Ａに組み付けられている。回路基板８は、カバー部４ａに直近の最後の構成要素の１つとして、カバー部４ａが主筐体部４ｂと接する境界面２１に位置する空洞２３を接続端子１８が通って配置されるように、取り付けられる。回路基板８は、筐体内に組み付ける前に、検知ユニット６に予め接続および予め固定してもよい。または、回路基板８の検知ユニット６への接続および固定は、構成要素を主筐体部４ｂ内に組み付ける際に行ってもよい。カバー４ａは、クリップ２７によって、もしくは接着などの溶接によって、またはその両方で、主筐体部４ｂに永久的に固定してもよい。また、筐体部４ｂの内部に誘電性樹脂を充填してもよい。
【００３０】
ここで、図３を参照し、トロイダルフラックスゲート検知ユニット６をさらに詳細に説明する。検知ユニット６は、３２ａ、３２ｂの二部で構成されるシールド３２によって包囲され、さらに、３４ａ、３４ｂの二部を有する誘電シェル３４によって包囲され、さらに、補償コイルとしても知られる二次コイル３６によって包囲される可飽和コアユニット３０を備える。クローズドループ変換器において周知のとおり、二次または補償コイル３６は、フィードバックループで可飽和コアユニット３０に接続される電子回路によって駆動されるが、二次コイルが駆動されることによって、可飽和コアユニット上で一次導体が発生させた磁界の影響を打ち消そうとする磁界が発生される。二次電流の振幅および方向は一次電流を表わすため、一次電流の測定基準として用いることができ、上記のとおり差動電流としてもよい。
【００３１】
二次コイル３６は、絶縁被膜を備える細い導線を誘電シェル３４の周囲に巻き付けたもので形成される。したがって、このコイル線を図示しないことで図３の図説を簡略化しているが、この要素３６が誘電シェル３４の周囲に巻き付くコイルで形成されることが理解される。
【００３２】
可飽和コアユニット３０は、有利には細片または帯状材のＭｅｔｇｌａｓ２７１４Ａなどの非晶質磁性材料であってもよい可飽和コア３８を備え、可飽和コア３８は、リング形状のたとえば射出成形させたプラスチック材料からなる誘電支持体４０上に取り付けられる。図示のとおり、支持体４０は単一部品で構成されることが好ましいが、変換器の組立て中に、互いに固定される２つ以上の部品で構成してもよい。非晶質磁性材料３８の細片は、細片の片面に塗布した、または誘電支持体４０上に塗布した接着剤で取り付けてもよいし、好ましくは絶縁テープ３９上に設けて誘電支持体の外表面４２に接着させてもよい。非晶質磁性材料の細片は、両自由端において任意にある程度の重なりをもって支持体上に単層を形成してもよいし、単一の細片を支持体に巻き付けるか複数の別々の細片を積み重ねて、支持体上に２層以上を形成してもよい。
【００３３】
誘電支持体４０およびその上に位置する非晶質細片３８の周囲に励磁コイル４４が巻き付けられる。有利には、励磁コイルの巻線と非晶質細片の間に摩擦を生じる可能性がある振動および動作を考慮して、絶縁テープ３９は、励磁コイルの巻線間で誘電性保護隔離体の役割を果たし、非晶質可飽和コアと励磁コイルの巻線の間の電気的接触を防いでもよい。有利には、リング形状の誘電支持体４０は、複数の離間された半径方向フィン４６を備えてもよく、たとえば、３〜７つの半径方向フィンがリング上に分散し、半径方向内方へ突出し、励磁コイルに対して横方向の位置決めを支持するだけでなく、周囲のシールド素子３２ａ、３２ｂに対してその内側で支持体の中心を合わせる役割を果たしてもよい。半径方向フィンは、励磁コイルとシールド素子３２ａ、３２ｂの直接接触を防止するスペーサーの役割も果す。
【００３４】
一変形例において、可飽和コアユニットは線状ユニットとして作製してもよく、その場合、非晶質磁性材料の線状細片または帯状材を線状絶縁支持体およびその周囲に巻いた励磁コイルに取り付けた後、得られた線状ユニットを最終的なリング形状に折り曲げる。
【００３５】
励磁コイルは、細い銅線またはその他の導電性材料で形成してもよい。導線の細さを考慮して、巻線は図示せず、励磁コイルが占める体積を示す符号４４によって励磁コイルを表している。誘電支持体４０には、複数の接続端子４８、５０が取り付けられる。端子は、誘電支持体内に予め形成した空洞に圧力嵌めによって嵌めこんでもよいし、または互いに係合するクリップによって固定するか、端子４８、５０の一部分上に誘電支持体をオーバーモールドすることによって固定してもよい。支持体４０が複数の部品を組み合わせて形成される実施形態において、支持体部品を組み合わせて支持体を完成させる前に、端子を支持体部品の１つに予め組み付けてもよい。
【００３６】
有利には、本発明のある局面によると、少なくとも２対の端子があり、第１の対５０が励磁コイル４４の端部に接続され、第２の対４８が二次コイル３６の端部に接続される。励磁コイルの端部および二次コイルの端部は、溶接、はんだ付け、圧着、支柱接続法、またはその他の導線と接続端子を接続する既知の技法などの各種既知の接続技法によって、各端子４８、５０に接続することができる。端子の接続部は、ピンまたは圧接ブレードまたは圧着接続の形態としてもよい。
【００３７】
可飽和コアの支持体リングにおいて接続端子が励磁コイルおよび二次コイルの双方に対して一体化することによって、構成要素の数ならびに製造および組立てのコストが低減される。さらに、この構成によって、特に小型化した装置が得られる。
【００３８】
誘電支持体４０および可飽和コア細片３８を包囲する環状磁気シールドシェル３２ａ、３２ｂには、接続端子５０、４８が貫通して突出し、片側で回路基板８に接続し、反対側で二次コイルに接続するための開口部５２が設けられる。端子対４８の接続部４８ａは十分に長く、シールドシェルと誘電シェル３４ａに設けた開口部５４とを通って延長し、可飽和コアユニットの周囲にシールドシェルおよび筐体を組み立てた後に二次コイルの巻線が接続され、筐体の周囲に巻き付けられるようにしている。可飽和コアユニット３０に対してシールドシェルおよび絶縁シェルを確実に正しく配向し、組み付けるために、端子４８、５０、ならびにこれに対応するシールドシェル３２ａ、３２ｂおよび絶縁シェル３４ａ、３４ｂの通路は、非対称的に配置されてもよい。たとえば、励磁導体の端子５０と二次コイルの端子４８を不規則な距離で離間してもよい。
【００３９】
同一形状を有する２つのシールドシェル３２ａ、３２ｂは、高い透磁率を有する磁性材料で形成されるが、有利には磁性材料のシートで形成してもよい。可飽和コアユニット３０の周囲で組み合わされると、シールドシェル３２ａ、３２ｂは半径方向外側の縁部５６に沿って互いに接触するが、半径方向内側の縁部５８においては狭い空隙ができる。この構成によって、半径方向内側の空隙により検出器周辺の短絡ループを防止すると同時に、シールドシェル同士およびシールドシェルの可飽和コアユニット周囲における正確な位置決めを確実に行うことができる。
【００４０】
有利には、絶縁シェル３４ａ、３４ｂは、リング形状の絶縁シェルに間隔を置いて分散配置される半径方向フィン５９を備える。半径方向フィンは、変換器筐体４内でフラックスゲート検知ユニット６の位置を決める位置決め縁または面を提供すると同時に、絶縁シェルに巻き付けられた二次コイルを横方向に支持する役割を果たす。絶縁シェルには、回路基板８に設けた相補型孔６１に受け入れられる位置決め用または固定用の突起６０をさらに設けて、検知ユニットに対して回路基板を位置決めし、堅固に保持してもよい。２つの筐体シェル３４ａ、３４ｂは、組み立ての際に自身を互いに固定する係合クリップを備えてもよい。あるいは、または、さらに、超音波溶接などの別の固定または接合手段を用いて、これら２つの絶縁シェル３４ａ、３４ｂを二次コイルおよび可飽和コアユニットの周囲で互いに固定してもよい。
【図１ａ】
0005838210.tif 000002
【図１ｂ】
0005838210.tif 000003
【図１ｃ】
0005838210.tif 000004
【図１ｄ】
0005838210.tif 000005
【図２ａ】
0005838210.tif 000006
【図２ｂ】
0005838210.tif 000007
【図２ｃ】
0005838210.tif 000008
【図２ｄ】
0005838210.tif 000009
【図３】
0005838210.tif 000010
【図４ａ】
0005838210.tif 000011
【図４ｂ】
0005838210.tif 000012